【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
画像データから監査対象物を特定するための特定条件を記憶する記憶手段と、
前記記憶手段に記憶されている特定条件に従って、電子データに含まれる画像データから監査対象物を特定する特定手段と、
前記電子データを監査するための監査画面であって、前記特定手段で特定された前記監査対象物を示す監査画面を生成する監査画面生成手段と、
前記監査画面生成手段で生成された前記監査画面を介して、前記監査対象物に対する監査結果であって、監査対象物が特定された前記画像データに対する処理内容の入力を受け付ける受付手段と、
前記受付手段で入力を受け付けた監査結果に従って、前記電子データに含まれる画像データを処理する処理手段と、
を備えることを特徴とする電子データ監査装置。
【請求項２】
前記処理内容には、前記監査対象物を削除するとの入力を含み、
前記処理手段は、前記監査対象物を削除するとの処理内容の入力を受け付けた場合に、当該監査対象物を含む前記画像データを削除することを特徴とする請求項１に記載の電子データ監査装置。
【請求項３】
前記処理内容には、前記監査対象物をマスク処理するとの入力を含み、
前記処理手段は、前記監査対象物をマスク処理するとの処理内容の入力を受け付けた場合に、前記監査対象物をマスク処理することを特徴とする請求項１または２に記載の電子データ監査装置。
【請求項４】
前記処理手段は、前記受付手段により前記画像データに対する処理内容の入力を受け付けなかった場合に、当該画像データを処理しないことを特徴とする請求項１乃至３のいずれか１項に記載の電子データ監査装置。
【請求項５】
前記電子データに複数の画像データが含まれる場合に、前記特定手段は、それぞれの画像データから監査対象物を特定することを特徴とする請求項１乃至４のいずれか１項に記載の電子データ監査装置。
【請求項６】
前記特定手段により、前記複数の画像データから同一の監査対象物が複数回特定された場合に、前記監査画面生成手段は、当該監査対象物を一つ表示する監査画面を生成することを特徴とする請求項５に記載の電子データ監査装置。
【請求項７】
前記特定手段によって特定された前記監査対象物を属性でグループ化するグループ化手段を備え、
前記受付手段は、前記グループ化手段によってグループ化された前記監査対象物に対する監査結果であって、当該監査対象物が特定された前記画像データに対する処理内容の入力を一括で受け付けることを特徴とする請求項１乃至６のいずれか１項に記載の電子データ監査装置。
【請求項８】
前記電子データは、電子メールであることを特徴とする請求項１乃至７のいずれか１項に記載の電子データ監査装置。
【請求項９】
前記電子データは、ウェブ画面データであることを特徴とする請求項１乃至７のいずれか１項に記載の電子データ監査装置。
【請求項１０】
前記電子データと、当該電子データに含まれる前記処理手段によって処理された画像データとを外部装置に送信する送信手段を備えることを特徴とする請求項１乃至９のいずれか１項に記載の電子データ監査装置。
【請求項１１】
画像データから監査対象物を特定するための特定条件を記憶する記憶手段を備える電子データ監査装置の制御方法であって、
前記電子データ監査装置の特定手段が、前記記憶手段に記憶されている特定条件に従って、電子データに含まれる画像データから監査対象物を特定する特定工程と、
前記電子データ監査装置の監査画面生成手段が、前記電子データを監査するための監査画面であって、前記特定工程で特定された前記監査対象物を示す監査画面を生成する監査画面生成工程と、
前記電子データ監査装置の受付手段が、前記監査画面生成工程で生成された前記監査画面を介して、前記監査対象物に対する監査結果であって、監査対象物が特定された前記画像データに対する処理内容の入力を受け付ける受付工程と、
前記電子データ監査装置の処理手段が、前記受付工程で入力を受け付けた監査結果に従って、前記電子データに含まれる画像データを処理する処理工程と、
を備えることを特徴とする電子データ監査装置の制御方法。
【請求項１２】
画像データから監査対象物を特定するための特定条件を記憶する記憶手段を備える電子データ監査装置で読み取り実行可能なプログラムであって、
前記電子データ監査装置を、
前記記憶手段に記憶されている特定条件に従って、電子データに含まれる画像データから監査対象物を特定する特定手段と、
前記電子データを監査するための監査画面であって、前記特定手段で特定された前記監査対象物を示す監査画面を生成する監査画面生成手段と、
前記監査画面生成手段で生成された前記監査画面を介して、前記監査対象物に対する監査結果であって、監査対象物が特定された前記画像データに対する処理内容の入力を受け付ける受付手段と、
前記受付手段で入力を受け付けた監査結果に従って、前記電子データに含まれる画像データを処理する処理手段として機能させることを特徴とするプログラム。
【手続補正２】
【補正対象書類名】明細書
【補正対象項目名】０００８
【補正方法】変更
【補正の内容】
【０００８】
本発明は、画像データから監査対象物を特定するための特定条件を記憶する記憶手段と、前記記憶手段に記憶されている特定条件に従って、電子データに含まれる画像データから監査対象物を特定する特定手段と、前記電子データを監査するための監査画面であって、前記特定手段で特定された前記監査対象物を示す監査画面を生成する監査画面生成手段と、前記監査画面生成手段で生成された前記監査画面を介して、前記監査対象物に対する監査結果であって、監査対象物が特定された前記画像データに対する処理内容の入力を受け付ける受付手段と、前記受付手段で入力を受け付けた監査結果に従って、前記電子データに含まれる画像データを処理する処理手段と、を備えることを特徴とする。
【手続補正３】
【補正対象書類名】明細書
【補正対象項目名】０００９
【補正方法】変更
【補正の内容】
【０００９】
また、本発明は、画像データから監査対象物を特定するための特定条件を記憶する記憶手段を備える電子データ監査装置の制御方法であって、前記電子データ監査装置の特定手段が、前記記憶手段に記憶されている特定条件に従って、電子データに含まれる画像データから監査対象物を特定する特定工程と、前記電子データ監査装置の監査画面生成手段が、前記電子データを監査するための監査画面であって、前記特定工程で特定された前記監査対象物を示す監査画面を生成する監査画面生成工程と、前記電子データ監査装置の受付手段が、前記監査画面生成工程で生成された前記監査画面を介して、前記監査対象物に対する監査結果であって、監査対象物が特定された前記画像データに対する処理内容の入力を受け付ける受付工程と、前記電子データ監査装置の処理手段が、前記受付工程で入力を受け付けた監査結果に従って、前記電子データに含まれる画像データを処理する処理工程と、を備えることを特徴とする。
【手続補正４】
【補正対象書類名】明細書
【補正対象項目名】００１０
【補正方法】変更
【補正の内容】
【００１０】
また、本発明は、画像データから監査対象物を特定するための特定条件を記憶する記憶手段を備える電子データ監査装置で読み取り実行可能なプログラムであって、前記電子データ監査装置を、前記記憶手段に記憶されている特定条件に従って、電子データに含まれる画像データから監査対象物を特定する特定手段と、前記電子データを監査するための監査画面であって、前記特定手段で特定された前記監査対象物を示す監査画面を生成する監査画面生成手段と、前記監査画面生成手段で生成された前記監査画面を介して、前記監査対象物に対する監査結果であって、監査対象物が特定された前記画像データに対する処理内容の入力を受け付ける受付手段と、前記受付手段で入力を受け付けた監査結果に従って、前記電子データに含まれる画像データを処理する処理手段として機能させることを特徴とする。